(57)【特許請求の範囲】
【請求項１】
内容物が収容される容器本体と、
該容器本体内に昇降変位自在に配設され内容物上に配置される平板状の押え蓋部材と、が備えられ、
ポンプを有する吐出容器に対して交換可能なレフィール容器であって、
前記容器本体内には、前記押え蓋部材を、容器軸に直交する直交面に沿う姿勢に離脱自在に保持する保持部材が設けられ、
前記押え蓋部材には、前記ポンプのシリンダに連結され下方に向けて延びるチューブが挿通可能な挿通孔が形成されるとともに、該挿通孔内には、前記シリンダにより下方に押し込まれる被係合部が設けられ、
前記押え蓋部材は、前記容器本体内の内容物上に配置されるとともに前記直交面に沿って延びる平板状の蓋本体と、該蓋本体に形成された貫通孔内に装着され内側が前記挿通孔とされた内筒体と、を備え、
該内筒体の内周面に前記被係合部が突設されるとともに、該内筒体の上端部に径方向の外側に向けてフランジ部が突設され、該フランジ部は、下側から前記保持部材に離脱自在に支持され、
前記保持部材は、前記容器本体の内面に突設されるとともに、周方向に間隔をあけて配置された複数の板体を備え、各板体に、径方向の内側に向けて突出する係止突条部が配設され、
前記フランジ部が、その下側から前記係止突条部に離脱自在に支持されていることを特徴とするレフィール容器。
【請求項２】
請求項１に記載のレフィール容器であって、
前記内筒体の上部は、下方から上方に向かうに従い漸次拡径されていることを特徴とするレフィール容器。
【発明の詳細な説明】
【技術分野】
【０００１】
本発明は、粘度の比較的高い内容物を、ポンプにより吐出する吐出容器に対して交換可能なレフィール容器に関するものである。
【背景技術】
【０００２】
容器本体内に収容された内容物を、ポンプにより吐出する吐出容器においては、従来から、例えば下記特許文献１に示されるように、内容物上に配置される押え蓋部材が、容器本体内に昇降変位自在に配設されている。この押え蓋部材により、吐出時に内容物の上面を押さえておくことで円滑な吐出が維持される。なお、押え蓋部材には、ポンプのシリンダに連結され下方に向けて延びるチューブが挿通可能な挿通孔が形成されている。
ところで近年では、ポンプを有さず容器本体および押え蓋部材を備え、前述の吐出容器に対して交換可能なレフィール容器が検討されている。
【先行技術文献】
【特許文献】
【０００３】
【特許文献１】特許第３９２８３０３号公報
【発明の概要】
【発明が解決しようとする課題】
【０００４】
ところが、押え蓋部材を容器本体内の内容物上に単に載置しただけのレフィール容器では、押え蓋部材が内容物の上面に対して傾き易くなるおそれがあった。
この場合例えば、レフィール容器を交換するときに、前述のチューブを押え蓋部材の挿通孔内に挿入させ難くなり交換作業が煩雑になったり、あるいは容器本体内における内容物の上面の露出が広くなり内容物の円滑な吐出を維持することが困難になったりする等のおそれがある。
【０００５】
本発明は、このような事情を考慮してなされたもので、交換するときに、押え蓋部材が内容物の上面に対して傾いていることを抑制することができるレフィール容器を提供することを目的とする。
【課題を解決するための手段】
【０００６】
上記課題を解決して、このような目的を達成するために、本発明のレフィール容器は、内容物が収容される容器本体と、該容器本体内に昇降変位自在に配設され内容物上に配置される平板状の押え蓋部材と、が備えられ、ポンプを有する吐出容器に対して交換可能なレフィール容器であって、前記容器本体内には、前記押え蓋部材を、容器軸に直交する直交面に沿う姿勢に離脱自在に保持する保持部材が設けられ、前記押え蓋部材には、前記ポンプのシリンダに連結され下方に向けて延びるチューブが挿通可能な挿通孔が形成されるとともに、該挿通孔内には、前記シリンダにより下方に押し込まれる被係合部が設けられ、前記押え蓋部材は、前記容器本体内の内容物上に配置されるとともに前記直交面に沿って延びる平板状の蓋本体と、該蓋本体に形成された貫通孔内に装着され内側が前記挿通孔とされた内筒体と、を備え、該内筒体の内周面に前記被係合部が突設されるとともに、該内筒体の上端部に径方向の外側に向けてフランジ部が突設され、該フランジ部は、下側から前記保持部材に離脱自在に支持され、前記保持部材は、前記容器本体の内面に突設されるとともに、周方向に間隔をあけて配置された複数の板体を備え、各板体に、径方向の内側に向けて突出する係止突条部が配設され、前記フランジ部が、その下側から前記係止突条部に離脱自在に支持されていることを特徴とする。
【０００７】
本発明によれば、容器本体内に保持部材が設けられているので、押え蓋部材が前記直交面に対して傾くのを防ぐことが可能になり、レフィール容器を交換するときに、押え蓋部材が内容物の上面に対して傾いていることを抑制することができる。
また、この押え蓋部材の挿通孔内に、シリンダにより下方に押し込まれる被係合部が設けられているので、レフィール容器を交換するときに被係合部に加えられる下方に向けた押圧力によって、押え蓋部材を保持部材から離脱させることが可能になる。したがって、レフィール容器の交換作業を煩雑にすることなく、押え蓋部材が前述のように傾くのを防ぐことができる。
【０００９】
また、本発明によれば、構造を複雑にすることなく前述の作用効果を確実に奏功させることができる。また、保持部材が前記フランジ部を下側から支持することで押え蓋部材を保持しているので、前記フランジ部を撓み変形させ易くすることが可能になり、レフィール容器の交換時に、押え蓋部材を保持部材から確実に離脱させることができるとともに、レフィール容器の組立て時に、押え蓋部材を保持部材に容易に保持させることができる。
【００１０】
また、前記内筒体の上部は、下方から上方に向かうに従い漸次拡径されてもよい。
【００１１】
この場合、内筒体の上部が下方から上方に向かうに従い漸次拡径されているので、レフィール容器を交換するときに前記チューブを容易に挿通孔内に挿入することが可能になり、交換作業を簡便にすることができる。
【発明の効果】
【００１２】
本発明によれば、押え蓋部材が内容物の上面に対して傾くのを抑制することができる。
【図面の簡単な説明】
【００１３】
【図１】本発明に係る一実施形態として示したレフィール容器の要部を破断した全体側面図である。
【図２】図１に示すレフィール容器が装填された吐出容器の要部を破断した全体側面図である。
【図３】図２に示す吐出容器のＸ部の拡大図である。
【発明を実施するための形態】
【００１４】
以下、図面を参照し、本発明の実施の形態について説明する。
本実施形態に係るレフィール容器１は、クリーム状若しくはゲル状などの比較的粘度が高い内容物Ａが収容される容器本体１１と、容器本体１１内に昇降変位自在に配設され内容物Ａ上に配置される平板状の押え蓋部材２１と、を備えている。
【００１５】
容器本体１１は、底部１３および胴部１２を有する有底筒状の主体部１４と、胴部１２に連結された装着筒部１５、肩部１６および口部１７を有する筒状のヘッド部１８と、を備えている。これらの主体部１４およびヘッド部１８は共通軸と同軸に配置されている。以下、この共通軸を容器軸Ｏといい、この容器軸Ｏ方向に沿って口部１７側を上側、底部１３側を下側といい、容器軸Ｏに直交する方向を径方向といい、容器軸Ｏを中心に周回する方向を周方向という。
【００１６】
図示の例では、ヘッド部１８の装着筒部１５に形成された雌ねじ部が、主体部１４の胴部１２の上端部に形成された雄ねじ部に螺着されることにより、主体部１４とヘッド部１８とが液密に連結されている。
肩部１６は、容器本体１１の内側に向けて窪む凹曲面状に形成されていて、その下端部の表面は容器軸Ｏ方向に向いている。
また本実施形態では、ヘッド部１８には、口部１７と肩部１６との間に、口部１７より大径に形成されるとともに、下端が肩部１６の上端に滑らかに連なり、容器軸Ｏ方向に沿って延びる首部１９が配設されている。
口部１７には封止キャップ２０が螺着されている。
【００１７】
押え蓋部材２１は、容器本体１１内の内容物Ａ上に配置されるとともに容器軸Ｏに直交する直交面に沿って延びる平板状の蓋本体２２と、蓋本体２２に形成された貫通孔内に装着された内筒体２３と、を備え、この内筒体２３の内側が、後述するポンプ３１のシリンダ３２に連結され下方に向けて延びるチューブ３３が挿通可能な挿通孔２３ａとなっている。
蓋本体２２は、容器軸Ｏと同軸に配置され、その径方向の中央部に前記貫通孔が形成されている。また、蓋本体２２の外径は、容器本体１１における胴部１２の内径より僅かに小さくなっている。蓋本体２２の上面は、容器本体１１における肩部１６の下端部の内面に下側から近接している。
【００１８】
内筒体２３は、図３に示されるように、容器軸Ｏ方向に沿って延びる中間部２４と、中間部２４の下端に連結され蓋本体２２に固定される下部２５と、中間部２４の上端に連結され下方から上方に向かうに従い漸次拡径された上部２６と、を備えている。
内筒体２３の下部２５には、蓋本体２２の貫通孔内に嵌合された被嵌合筒２５ａと、被嵌合筒２５ａの上端に径方向の外側に向けて突設されたフランジ状の挟着板２５ｂと、被嵌合筒２５ａの下端に径方向の外側に向けて突設された挟着凸部２５ｃと、被嵌合筒２５ａの下端に径方向の内側に向けて突設された突片（被係合部）２５ｄと、が備えられている。
挟着板２５ｂと挟着凸部２５ｃとが、蓋本体２２における貫通孔の周縁部を容器軸Ｏ方向に挟み込み、かつ前述のように被嵌合筒２５ａが蓋本体２２の貫通孔内に嵌合されることにより、内筒体２３が蓋本体２２に固定されている。
【００１９】
そして本実施形態では、容器本体１１内に、押え蓋部材２１を前記直交面に沿う姿勢に離脱自在に保持する保持部材４１が設けられている。なお図示の例では、保持部材４１は容器本体１１と一体に形成されている。また、保持部材４１は、容器本体１１の内面のうち首部１９の下端部に突設されるとともに、周方向に間隔をあけて配置された複数の板体４２を備えている。各板体４２は矩形状に形成されている。また、それぞれの板体４２の下端部に、径方向の内側に向けて突出する係止突条部４３が周方向に沿って延設されている。なお図示の例では、各板体４２は、首部１９よりも下方に延出しており、板体４２の下端部において径方向の外側を向く表面と、肩部１６の内面と、の間には径方向の隙間が設けられている。
ここで、押え蓋部材２１における内筒体２３の上端には、径方向の外側に向けてフランジ部２７が突設されていて、このフランジ部２７が、その下側から保持部材４１の係止突条部４３に離脱自在に支持されている。
【００２０】
次に、以上のように構成されたレフィール容器１を、ポンプ３１を有する吐出容器２に対して交換する方法について説明する。
【００２１】
まず、封止キャップ２０を容器本体１１の口部１７から取り外してレフィール容器１を開封し、その後、このレフィール容器１に、吐出容器２から空のレフィール容器を除去して残ったポンプ３１を装着する。
ここで、ポンプ３１は、図２に示されるように、レフィール容器１における容器本体１１の口部１７に螺着される装着キャップ３４と、装着キャップ３４に装着されたシリンダ３２と、シリンダ３２内から上方に向けて延設されたステム３５と、ステム３５の上端に配設されるとともに吐出ノズル３６ａを有する押下ヘッド３６と、を備えており、押下ヘッド３６を上下動させることにより、チューブ３３を通して容器本体１１内の内容物Ａを吸い上げて吐出ノズル３６ａから吐出するように構成されている。
【００２２】
そしてまず、チューブ３３を、押え蓋部材２１の挿通孔２３ａ内に挿通させながら、ポンプ３１の装着キャップ３４を、レフィール容器１における容器本体１１の口部１７上に載置し、次に、装着キャップ３４を口部１７に対してねじ込むことで、ポンプ３１をチューブ３３とともに下方に向けて移動させる。
この過程において、シリンダ３２の下端部が挿通孔２３ａ内に進入し、そして、シリンダ３２の下端縁が、押え蓋部材２１の前記突片２５ｄ上に到達して該突片２５ｄを下方に向けて押し込むことにより、押え蓋部材２１が下方に向けて押し込まれて、内筒部２３のフランジ部２７が、保持部材４１の係止突条部４３を下方に乗り越えて外れる。これにより、押え蓋部材２１の蓋本体２２が、容器本体１１内の内容物Ａの上面に載置されるとともに、装着キャップ３４の口部１７への装着が完了する。
【００２３】
なお、容器本体１１内の内容物Ａが吐出されて減少すると、押え蓋部材２１は、挿通孔２３ａ内にチューブ３３を挿通させた状態で下方に向けて移動する。
【００２４】
以上説明したように、本実施形態によるレフィール容器１によれば、容器本体１１内に保持部材４１が設けられているので、押え蓋部材２１が前記直交面に対して傾くのを防ぐことが可能になり、レフィール容器１を交換するときに、押え蓋部材２１が内容物Ａの上面に対して傾いていることを抑制することができる。
また、この押え蓋部材２１の挿通孔２３ａ内に、シリンダ３２により下方に押し込まれる突片２５ｄが設けられているので、レフィール容器１を交換するときに突片２５ｄに加えられる下方に向けた押圧力によって、押え蓋部材２１を保持部材４１から離脱させることが可能になる。したがって、レフィール容器１の交換作業を煩雑にすることなく、押え蓋部材２１が前述のように傾くのを防ぐことができる。
【００２５】
さらに、保持部材４１が、フランジ部２７を下側から係止突条部４３に支持させることで押え蓋部材２１を保持しているので、フランジ部２７を容器軸Ｏ方向に撓み変形させ易くすることが可能になり、レフィール容器１の交換時に、押え蓋部材２１を保持部材４１から確実に離脱させることができるとともに、レフィール容器１の組立て時に、押え蓋部材２１を保持部材４１に容易に保持させることができる。
さらに本実施形態では、保持部材４１の各板体４２が、首部１９よりも下方に延出していて、板体４２の下端部において径方向の外側を向く表面と、肩部１６の内面と、の間に径方向の隙間が設けられているので、板体４２を径方向に撓み変形させ易くすることが可能になり、前述のレフィール容器１の交換および組立てをより一層容易かつ確実に行うことができる。
【００２６】
また、押え蓋部材２１における内筒体２３の上部２６が下方から上方に向かうに従い漸次拡径されているので、レフィール容器１を交換するときにチューブ３３を容易に挿通孔２３ａ内に挿入することが可能になり、交換作業を簡便にすることができる。
【００２７】
なお、本発明の技術的範囲は前記実施の形態に限定されるものではなく、本発明の趣旨を逸脱しない範囲において種々の変更を加えることが可能である。
【００２８】
例えば、前記実施形態では、保持部材４１が備える板体４２の下端部において径方向の外側を向く表面と、肩部１６の内面と、の間に径方向の隙間を設けたが、この隙間は設けなくてもよい。
また、保持部材４１として、例えば板体４２を有さず、係止突条部４３が容器本体１１の内面に直接突設された構成を採用してもよいし、容器本体１１と別体の保持部材４１を採用してもよい。
さらに、押え蓋部材２１の内筒体２３にフランジ部２７を設けなくてもよい。
また、前記実施形態では、押え蓋部材２１を保持部材４１から離脱させるときに、シリンダ３２により押え蓋部材２１の突片２５ｄを下方に向けて押し込んだが、これに代えて例えば、チューブ３３の外周面と突片２５ｄとの摺接により、押え蓋部材２１を保持部材４１から離脱させてもよい。
【００２９】
その他、本発明の趣旨を逸脱しない範囲で、上記した実施の形態における構成要素を周知の構成要素に置き換えることは適宜可能であり、また、上記した変形例を適宜組み合わせてもよい。
【産業上の利用可能性】
【００３０】
押え蓋部材が内容物の上面に対して傾くのを抑制することができる。
【符号の説明】
【００３１】
１  レフィール容器
２  吐出容器
１１  容器本体
２１  押え蓋部材
２２  蓋本体
２３  内筒体
２３ａ  挿通孔
２４  内筒体の中間部
２５  内筒体の下部
２５ｄ  突片（被係合部）
２６  内筒体の上部
２７  フランジ部
３１  ポンプ
３２  シリンダ
３３  チューブ
４１  保持部材
Ａ  内容物
Ｏ  容器軸
【図１】
0005492580.tif 000002
【図２】
0005492580.tif 000003
【図３】
0005492580.tif 000004